(57)【要約】      （修正有）【課題】染色用容器内に収容された染色薬を別につける必要がなくて使用が容易であるだけでなく、染色薬が落ちることを防止し、専門美容師だけではなく、個人が直接容易に染色を遂行しても染色薬を毛髪に均一に塗布することができる毛髪染色用櫛を提供する。【解決手段】染色剤を収容する収容空間が形成された胴体部１００と、前記胴体部の上部に結合されて前記収容空間を密閉させる蓋部２００と、前記蓋部の中央から所定の直径をもって上方に突出する取っ手部３００と、前記取っ手部の端部に一体に形成されるブラシ部３１０と、前記胴体部の収容空間と連通する排出孔４２０を含む塗布部４００と、前記蓋部又は胴体部と一体に形成され、外方に突設された複数の櫛歯５０１からなる毛髪整頓部５００とを含む構造を有することにより、前記胴体部を押圧して染色剤を排出孔に流出させた後、ブラシ部と毛髪整頓部を用いて毛髪に染色剤を均一に塗布することができる。【選択図】図２
0003232359.tif 000002
【実用新案登録請求の範囲】
【請求項１】
内側に染色剤を収容する収容空間が形成された胴体部と、前記胴体部の上部に結合されて前記収容空間を密閉させる蓋部と、前記蓋部の中央から所定の直径をもって上方に突出する取っ手部と、前記取っ手部の端部に一体に形成されるブラシ部と、前記胴体部の収容空間と連通する排出孔を含む塗布部と、前記蓋部又は胴体部と一体に形成され、外方に突設された複数の櫛歯からなる毛髪整頓部とを含み、
前記胴体部は弾性力を有する素材から構成されることにより、胴体部を押圧したとき、前記排出孔を通して収容された染色剤が流出し、排出孔を通して流出する所定の染色薬を前記毛髪整頓部とブラシ部の一つ以上を用いて毛髪に均一に塗布する、毛髪染色用櫛。
【請求項２】
前記塗布部は、一端に染色剤が流入する流入孔が形成され、他端に染色剤が流出する排出孔が形成される管状の流路をさらに含み、前記排出孔は少なくとも一つ以上形成される、請求項１に記載の毛髪染色用櫛。
【請求項３】
胴体部は、開放した上面と、密閉した下面と、上面と下面を連結する側面部とからなる円筒形状を有し、前記蓋部は前記胴体部の上面を覆って密閉し、前記胴体部と蓋部をネジ結合する結合モジュールをさらに含み、
前記結合部は、胴体部が開放した方向の縁部外側壁を取り囲むように形成されたネジ部と前記蓋部の内側面の縁部に沿って形成された対応ネジ部とからなる、請求項２に記載の毛髪染色用櫛。
【請求項４】
前記ブラシ部は、ブラシ毛の長手方向が胴体部の長手方向に垂直になり、前記毛髪整頓部は前記ブラシ部に隣接して形成され、ブラシ部が備えられた方向が第１方向であるとき、毛髪整頓部は前記第１方向と対向する第２方向に位置するように形成され、櫛歯の突出方向が胴体部の長手方向に垂直になり、
前記塗布部は、一つの流路が取っ手部の内部から櫛歯の端部に向かって延び、流路の一端に備えられた流入孔が前記蓋部の内側面に形成され、前記流路の他端が分岐されて複数の排出孔を有し、前記排出孔は少なくとも一つ以上の櫛歯の端部に形成されることにより、一つの流入孔から流入する染色剤が複数の排出孔に流出する、請求項３に記載の毛髪染色用櫛。
【請求項５】
前記毛髪整頓部とブラシ部が備えられた方向が上方であり、胴体部が備えられた方向が下方であるとき、前記毛髪整頓部とブラシ部との間から上方に垂直に突設される分割部をさらに含む、請求項４に記載の毛髪染色用櫛。
【請求項６】
前記毛髪整頓部は胴体部の下面に一体に形成され、櫛歯の突出方向が胴体部の長手方向に平行に備えられ、
前記塗布部の流路は複数備えられ、それぞれの流路は前記胴体部の下面からそれぞれの櫛歯の端部に向かって一字形に延び、前記流入孔は前記胴体部の下面に複数備えられ、前記排出孔は少なくとも一つ以上の櫛歯の端部に形成されることにより、一つの流入孔から流入する染色剤が複数の排出孔に流出する、請求項３に記載の毛髪染色用櫛。
【請求項７】
前記流入孔と排出孔の個数は互いに対応し、前記流路はそれぞれの流入孔と排出孔が一対一に対応するように連結する、請求項６に記載の毛髪染色用櫛。
【請求項８】
前記毛髪整頓部は胴体部の下面に一体に形成され、櫛歯の突出方向が胴体部の長手方向に平行になり、前記塗布部の流路は少なくとも一つ以上の折曲部を有することにより、流路の一端部が取っ手部の内部から延び、流路の他端部が外向に突出して排出孔が露出された構造を有し、流路の一端に備えられた流入孔が前記蓋部の内側面に形成される、請求項３に記載の毛髪染色用櫛。
【請求項９】
前記流路は、他端部と一端部との間に備えられて他端部と一端部をネジ結合する流路結合部を含み、前記流路結合部は、流路の他端部一側端に形成された第１結合部と、流路の一端部一側端に形成された第２結合部とを含む、請求項８に記載の毛髪染色用櫛。
【請求項１０】
前記毛髪整頓部が備えられた方向が下方であり、ブラシ部が備えられた方向が上方であるとき、前記ブラシ部の一側面から上方に所定の屈曲をもって突設される分割部をさらに含む、請求項７又は９に記載の毛髪染色用櫛。
【請求項１１】
前記胴体部は半透明素材からなり、収容空間内に収容された染色剤の量を計量することができる計量用目盛り部をさらに含み、前記計量用目盛り部は胴体部の外側面部に形成される、請求項５、７及び９のいずれか一項に記載の毛髪染色用櫛。
【請求項１２】
前記取っ手部は、取っ手部の長手方向に沿って取っ手部の外側面に形成される一つ以上の突起を含む、請求項５、７及び９のいずれか一項に記載の毛髪染色用櫛。
【考案の詳細な説明】
【技術分野】
【０００１】
本考案は毛髪染色用櫛に関するもので、より詳しくは染色薬を毛髪に塗布するブラシと毛髪を整頓する毛髪整頓部の櫛歯を複合的に備えて迅速性と便利性を兼備する毛髪染色用櫛に関するものである。
【背景技術】
【０００２】
通常、染色は髪の毛を部分的に又は全体的に変色して自分のみの独特なヘアスタイルを演出するために使われる。このような染色を遂行するためには、少なくとも一つ以上の染色原料を容器に入れて撹拌して染色薬を製造し、前記容器内に収容された染色薬をブラシでつけて所望の毛髪部位に塗布した後、櫛で毛髪をきちんと整頓し、一定時間放置してから洗浄すれば所望の色相への染色が完了する。
【０００３】
既存には染色薬を塗布するブラシと毛髪を整頓して染色薬を均一に分散させる櫛が別に備えられているから、染色過程がかなり煩わしくて不便な問題がある。このような問題点を解決する方法の一環として、韓国公開実用新案第２０−２００９−０００５６９２号公報の“染色用櫛”を提案している。提案された文献は、前方一側に相異なるサイズの櫛歯からなる主櫛歯部（２０）と、主櫛歯部と反対側との間の側面部分に染色用櫛の長手方向に形成されたスライド案内溝（５０）と、このスライド案内溝（５０）の反対側に位置する染色用櫛の取っ手部の外側に延設された分け目用櫛歯部（３０）と、分け目用櫛歯部（３０）の内側に位置し、表面に多数の指圧突起が突設された取っ手からなる胴体（１０）とからなることを特徴としている。したがって、櫛歯部の反対側角部又は側面に染色用ブラシ毛を結合させることにより、染色を簡便に遂行することができる効果と、髪の毛の染色薬塗布と染色薬の塗布された髪の毛のくしけずりを染色用櫛によって遂行することにより、染色時間が短縮し、染色が均一で速かになされる効果を提供する。
【０００４】
しかし、従来の構造によれば、ブラシが櫛歯の側面に位置しているから、染色薬を塗布するくしけずりを行う過程で毛髪との干渉を引き起こす問題がある。すなわち、ブラシで染色薬をつけて毛髪に塗布する過程で毛髪が櫛歯にかかって縺れるか、櫛歯で毛髪を整頓する過程で毛髪がブラシにかかってよれる問題がある。
【０００５】
また、従来技術によれば、別途の容器で染色原料を撹拌して染色薬を製造し、製造された染色薬を前記染色用櫛でつけて毛髪に塗布しなければならないので、当該過程で染色薬が皮膚に落ちて皮膚疾患を引き起こすか、衣服又は床が落ちた染色薬によって汚くなるなどの問題がある。
【考案の概要】
【考案が解決しようとする課題】
【０００６】
本考案は染色剤の流出量を簡便に調節するとともに染色原料を撹拌して染色薬を製造する容器と染色用櫛を一体化することにより、前記染色用容器内に収容された染色薬を別につける必要がなくて使用が容易であるだけでなく、染色薬が落ちることを防止し、専門美容師だけではなく一般人が直接容易に染色を遂行しても染色薬を毛髪に均一に塗布することができる毛髪染色用櫛を提供することにその目的がある。
【課題を解決するための手段】
【０００７】
前記目的を達成するために、本考案は、内側に染色剤を収容する収容空間が形成された胴体部と、前記胴体部の上部に結合されて前記収容空間を密閉させる蓋部と、前記蓋部の中央から所定の直径をもって上方に突出する取っ手部と、前記取っ手部の端部に一体に形成されるブラシ部と、前記胴体部の収容空間と連通する排出孔を含む塗布部と、前記蓋部又は胴体部と一体に形成され、外方に突設された複数の櫛歯からなる毛髪整頓部とを含み、前記胴体部は弾性力を有する素材から構成されることにより、胴体部を押圧したとき、前記排出孔を通して収容された染色剤が流出し、排出孔を通して流出する所定の染色薬を前記毛髪整頓部とブラシ部の一つ以上を用いて毛髪に均一に塗布する。前記塗布部は、一端に染色剤が流入する流入孔が形成され、他端に染色剤が流出する排出孔が形成される管状の流路をさらに含み、前記排出孔は少なくとも一つ以上形成される。胴体部は、開放した上面と、密閉した下面と、上面と下面を連結する側面部とからなる円筒形状を有し、前記蓋部は前記胴体部の上面を覆って密閉し、前記胴体部と蓋部をネジ結合する結合モジュールをさらに含み、前記結合部は、胴体部が開放した方向の縁部外側壁を取り囲むように形成されたネジ部と前記蓋部の内側面の縁部に沿って形成された対応ネジ部とからなる。
【０００８】
本考案の第１実施例によれば、前記ブラシ部は、ブラシ毛の長手方向が胴体部の長手方向に垂直になり、前記毛髪整頓部は前記ブラシ部に隣接して形成され、ブラシ部が備えられた方向が第１方向であるとき、毛髪整頓部は前記第１方向と対向する第２方向に位置するように形成され、櫛歯の突出方向が胴体部の長手方向に垂直になる。前記塗布部は、一つの流路が取っ手部の内部から櫛歯の端部に向かって延び、流路の一端に備えられた流入孔が前記蓋部の内側面に形成され、前記流路の他端が分岐されて複数の排出孔を有し、前記排出孔は少なくとも一つ以上の櫛歯の端部に形成されることにより、一つの流入孔から流入する染色剤が複数の排出孔に流出する。前記毛髪整頓部とブラシ部が備えられた方向が上方であり、胴体部が備えられた方向が下方であるとき、前記毛髪整頓部とブラシ部との間から上方に垂直に突設される分割部をさらに含む。
【０００９】
本考案の第２実施例によれば、前記毛髪整頓部は胴体部の下面に一体に形成され、櫛歯の突出方向が胴体部の長手方向に平行に備えられ、前記塗布部の流路は複数備えられ、それぞれの流路は前記胴体部の下面からそれぞれの櫛歯の端部に向かって一字形に延び、前記流入孔は前記胴体部の下面に複数備えられ、前記排出孔は少なくとも一つ以上の櫛歯の端部に形成されることにより、一つの流入孔から流入する染色剤が複数の排出孔に流出する。前記流入孔と排出孔の個数は互いに対応し、前記流路はそれぞれの流入孔と排出孔が一対一に対応するように連結する。
【００１０】
本考案の第３実施例によれば、前記毛髪整頓部は胴体部の下面に一体に形成され、櫛歯の突出方向が胴体部の長手方向に平行になり、前記塗布部の流路は少なくとも一つ以上の折曲部を有することにより、流路の一端部が取っ手部の内部から延び、流路の他端部が外向に突出して排出孔が露出された構造を有し、流路の一端に備えられた流入孔が前記蓋部の内側面に形成される。前記流路は、他端部と一端部との間に備えられて他端部と一端部をネジ結合する流路結合部を含み、前記流路結合部は、流路の他端部一側端に形成された第１結合部と、流路の一端部一側端に形成された第２結合部とを含む。
【００１１】
本考案の第２実施例及び第３実施例において、前記毛髪整頓部が備えられた方向が下方であり、ブラシ部が備えられた方向が上方であるとき、前記ブラシ部の一側面から上方に所定の屈曲をもって突設される分割部をさらに含む。さらに、本考案の前記胴体部は半透明素材からなり、収容空間内に収容された染色剤の量を計量することができる計量用目盛り部をさらに含み、前記計量用目盛り部は胴体部の外側面部に形成される。前記取っ手部は、取っ手部の長手方向に沿って取っ手部の外側面に形成される一つ以上の突起を含む。
【００１２】
本考案の特徴及び利点は添付図面に基づく以降の詳細な説明からより明らかになるであろう。
【考案の効果】
【００１３】
本考案によれば、染色薬を毛髪に均一に塗布することができるだけでなく、染色原料を撹拌して染色薬を製造する容器と染色用櫛を一体化して迅速性と便利性を兼備する毛髪染色用櫛を提供することができる効果がある。
【図面の簡単な説明】
【００１４】
【図１】従来技術の形状を示す図である。
【図２】本考案の好適な実施例による毛髪染色用櫛の形状を示す側面図である。
【図３】本考案の好適な実施例による毛髪染色用櫛の結合状態を示す側面図である。
【図４】本考案の好適な実施例による毛髪染色用櫛の使用状態を示す使用状態図である。
【図５】本考案の第２実施例による毛髪染色用櫛の形状を示す側面図である。
【図６】本考案の第３実施例による毛髪染色用櫛の形状を示す側面図である。
【図７】本考案の第３実施例による流路の結合状態を詳細に示す拡大図である。
【考案を実施するための形態】
【００１５】
以下、本考案の好適な実施例を添付図面に基づいて説明する。ここで、図面に示した線の厚さ又は構成要素の大きさなどは説明の明瞭性及び便宜性のために誇張して示されていることもあり得る。
【００１６】
また、後述する用語は本考案における機能を考慮して定義された用語であり、これは使用者、運用者の意図又は慣例によって変わることができる。したがって、このような用語に対する定義はこの明細書全般にわたる内容に基づいて決定されなければならない。
【００１７】
また、以下の実施例は本考案の権利範囲を限定するものではなくて本考案の請求範囲に提示する構成要素の例示的な事項に過ぎなく、本考案の明細書全般にわたる技術思想に含まれ、請求範囲の構成要素に均等物として置換可能な構成要素を含む実施例は本考案の権利範囲に属することができる。
【００１８】
図２は本考案の好適な実施例による毛髪染色用櫛の形状を示す側面図である。
【００１９】
図２を参照すると、本考案は、内側に染色剤を収容する収容空間が形成された胴体部（１００）と、前記胴体部（１００）の上部に結合されて前記収容空間を密閉させる蓋部（２００）と、前記蓋部（２００）の中央から所定の直径をもって上方に突出する取っ手部（３００）と、前記取っ手部（３００）の端部に一体に形成されるブラシ部（３１０）と、前記胴体部（１００）の収容空間と連通する排出孔（４２０）を含む塗布部（４００）と、前記蓋部（２００）又は胴体部（１００）と一体に形成され、外方に突設された複数の櫛歯（５０１）からなる毛髪整頓部（５００）とを含む。
【００２０】
前記毛髪整頓部を構成する複数の櫛歯は互いに同じか異なる高さを有することができ、櫛歯の厚さは互いに同じか異なるように形成されることもできる。
【００２１】
前記胴体部（１００）は弾性力を有する素材から構成されるので、胴体部（１００）を押圧したとき、前記排出孔（４２０）を通して収容染色剤が流出し、排出孔（４２０）を通して流出する所定の染色薬を前記毛髪整頓部とブラシ部（３１０）の一つ以上を用いて毛髪に均一に塗布する。前記塗布部（４００）は、一端に染色剤が流入する流入孔（４１０）が形成され、他端に染色剤が流出する排出孔（４２０）が形成される管状の流路（４３０）をさらに含み、前記排出孔（４２０）は少なくとも一つ以上形成される。
【００２２】
また、前記取っ手部（３００）は、取っ手部（３００）の長手方向に取っ手部（３００）の外側面に形成される一つ以上の突起（３０１）を含む。前記それぞれの突起は所定距離だけ離隔して配置されることが好ましく、突起の形状は球形上又は多角形などに多様に形成されることができる。
【００２３】
図３は本考案の好適な実施例による毛髪染色用櫛の結合状態を示す側面図である。
【００２４】
図３を参照すると、胴体部（１００）は、開放した上面と、密閉した下面と、上面と下面を連結する側面部とからなる円筒形状を有し、前記蓋部（２００）は前記胴体部（１００）の上面を覆って密閉し、前記胴体部（１００）と蓋部（２００）をネジ結合する結合モジュールをさらに含み、前記結合部は、胴体部（１００）の開放側の縁部の外側壁を取り囲むように形成されたネジ部と前記蓋部（２００）の内側面の縁部に沿って形成された対応ネジ部とからなる。前記ブラシ部（３１０）はブラシ毛の長手方向が胴体部（１００）の長手方向に垂直になり、前記毛髪整頓部は前記ブラシ部（３１０）に隣接して形成され、ブラシ部（３１０）が備えられた方向が第１方向であるとき、毛髪整頓部（５００）は前記第１方向に対向する第２方向に位置するように形成されることにより、毛髪整頓部又はブラシ部（３１０）で染色を遂行するとき、使用していない他の毛髪整頓部又はブラシ部（３１０）が毛髪と干渉しないようにする。また、櫛歯（５０１）の突出方向は胴体部（１００）の長手方向に垂直になる。本考案の実施例によれば、前記毛髪整頓部とブラシ部（３１０）が備えられた方向が上方であり、胴体部（１００）が備えられた方向が下方であるとき、前記毛髪整頓部とブラシ部（３１０）との間から上方に垂直に突設される分割部（６００）をさらに含む。
【００２５】
図４は本考案の好適な実施例による毛髪染色用櫛の使用状態を示す使用状態図である。
【００２６】
図４を参照すると、前記塗布部（４００）は、一つの流路（４３０）が取っ手部（３００）の内部から櫛歯（５０１）の端部に向かって延び、流路（４３０）の一端に備えられた流入孔（４１０）が前記蓋部（２００）の内側面に形成され、前記流路（４３０）の他端が分岐されて複数の排出孔（４２０）を有し、前記排出孔（４２０）は少なくとも一つ以上の櫛歯（５０１）の端部に形成される。前述した構造によれば、前記蓋部（２００）によって胴体部（１００）が密閉した状態で胴体部（１００）を内側方向に押圧したとき、一つの流入孔（４１０）から流入する染色剤が複数の排出孔（４２０）に流出する。
【００２７】
図５は本考案の第２実施例による毛髪染色用櫛の形状を示す側面図である。
【００２８】
図５を参照すると、前記毛髪整頓部は胴体部（１００）の下面に一体に形成され、櫛歯（５０１）の突出方向が胴体部（１００）の長手方向に平行になり、前記塗布部（４００）の流路（４３０）は複数備えられ、それぞれの流路（４３０）は前記胴体部（１００）の下面からそれぞれの櫛歯（５０１）の端部に向かって一字形に延び、前記流入孔（４１０）は前記胴体部（１００）の下面に複数備えられ、前記排出孔（４２０）は少なくとも一つ以上の櫛歯（５０１）の端部に形成されることにより、一つの流入孔（４１０）から流入する染色剤が複数の排出孔（４２０）に流出する。前記流入孔（４１０）と排出孔（４２０）の個数は互いに対応し、前記流路（４３０）はそれぞれの流入孔（４１０）と排出孔（４２０）が一対一に対応するように連結する。
【００２９】
図６は本考案の第３実施例による毛髪染色用櫛の形状を示す側面図である。
【００３０】
図６を参照すると、前記毛髪整頓部は胴体部（１００）の下面に一体に形成され、櫛歯（５０１）の突出方向が胴体部（１００）の長手方向に平行になり、前記塗布部（４００）の流路（４３０）は少なくとも一つ以上の折曲部を有することにより、流路（４３０）の一端部が取っ手部（３００）の内部に延びる。前記流路（４３０）は、円滑な染色薬の排出のために、角部が柔らかい角を有するように形成されることが好ましい。また、流路（４３０）の他端部が外側方向に突出して排出孔（４２０）が露出された構造を有し、流路（４３０）の一端に備えられた流入孔（４１０）が前記蓋部（２００）の内側面に形成される。
【００３１】
図７は本考案の第３実施例による流路（４３０）の結合状態を詳細に示す拡大図である。
【００３２】
図７を参照すると、前記流路（４３０）は、他端部と一端部との間に備えられて他端部と一端部をネジ結合する流路結合部（４３０ａ）を含み、前記流路結合部（４３０ａ）は流路（４３０）の他端部の一端に形成された第１結合部と流路（４３０）の一端部の一端に形成された第２結合部とを含み、ネジ結合構造を有することが最も好ましい。
【００３３】
また、図５に示した第２実施例と図６に示した第３実施例を参照すると、前記毛髪整頓部が備えられた方向が下方であり、ブラシ部（３１０）が備えられた方向が上方であるとき、前記ブラシ部（３１０）の一側面から上方に所定の屈曲を有するように突設される分割部（６００）をさらに含むことができる。
【００３４】
また、本考案のさらに他の実施例によれば、前記胴体部（１００）は、半透明素材からなり、収容空間内に収容された染色剤の量を計量することができる計量用目盛り部（図示せず）をさらに含んでなることができる。前記計量用目盛り部は胴体部（１００）の外側面部に形成されることが好ましい。
【００３５】
以上で本考案を具体的な実施例に基づいて詳細に説明したが、これは本考案を具体的に説明するためのものであり、本考案はこれに限定されなく、本考案の技術的思想内で当該分野で通常の知識を有する者によってその変形や改良が可能であるというのは明らかである。
【００３６】
本考案の単純な変形乃至変更はいずれも本考案の範疇に属するものであり、本考案の具体的な保護範囲は添付の特許請求範囲によって明確になるであろう。
【符号の説明】
【００３７】
１００    胴体部
２００    蓋部
３００    取っ手部
３０１    突起
３１０    ブラシ部
４００    塗布部
４１０    流入孔
４２０    排出孔
４３０    流路
４３０ａ  流路結合部
５００    毛髪整頓部
５０１    櫛歯
６００    分割部
【図１】
0003232359.tif 000003
【図２】
0003232359.tif 000004
【図３】
0003232359.tif 000005
【図４】
0003232359.tif 000006
【図５】
0003232359.tif 000007
【図６】
0003232359.tif 000008
【図７】
0003232359.tif 000009